(57)【特許請求の範囲】
【請求項１】
第１の直径を有する近位部（１０）と；
第１の直径よりも小さい第２の直径を有する遠位部（９）と；
近位部（１０）に配置される少なくとも１つの弾性梁（５）とを含む薬剤容器キャリア（１）であって、
該少なくとも１つの弾性梁（５）は近位部から遠位に伸び、該少なくとも１つの弾性梁（５）は該弾性梁（５）の遠位端に位置する梁ヘッド（７）を有し、該梁ヘッド（７）は半径方向に突出して第３の直径を形成し、
該梁ヘッド（７）は薬剤容器に当接して薬剤容器の近位方向（Ｐ）への並進運動を防止すように配置され、
該少なくとも１つの弾性梁（５）は、第３の直径が第１の直径よりも小さいかつ第２の直径よりも大きい非偏向位置と、第３の直径が第１の直径にほぼ等しい偏向位置とを有する、
前記薬剤容器キャリア。
【請求項２】
梁ヘッド（７）は近位傾斜面を含む、請求項１に記載の薬剤容器キャリア（１）。
【請求項３】
梁ヘッド（７）は、キャリア（１）の横軸に平行な遠位面を含む、請求項１または２に記載の薬剤容器キャリア（１）。
【請求項４】
少なくとも１つの梁（５）は、互いに対して所定の角度ずれを有する複数の梁（５）を含む、請求項１〜３のいずれか１項に記載の薬剤容器キャリア（１）。
【請求項５】
薬剤容器をさらに含む、請求項１〜４のいずれか１項に記載の薬剤容器キャリア（１）。
【請求項６】
薬剤容器はカートリッジおよびシリンジ（３）の一方である、請求項５に記載の薬剤容器キャリア（１）。
【請求項７】
薬剤容器は、第２の直径にほぼ等しい第４の直径を有するバレル（２）と、第１の直径にほぼ等しい第５の直径を有するフランジ（１１）とを含む、請求項５または６に記載の薬剤容器キャリア（１）。
【請求項８】
梁ヘッド（７）は、梁（５）が非偏向位置にあるときにフランジ（１１）に当接するように適用される、請求項７に記載の薬剤容器キャリア（１）。
【請求項９】
少なくとも１つの弾性梁（５）が、近位部（１０）の円筒形の壁と一体に形成されてなる請求項１〜８のいずれか１項に記載の薬剤容器キャリア（１）。
【発明の詳細な説明】
【技術分野】
【０００１】
本発明は、薬剤容器用キャリアに関する。
【背景技術】
【０００２】
注射の投与は、ユーザおよび医療従事者にとって、精神的にも身体的にもいくつかの危険および課題をもたらすプロセスである。注射デバイスは、一般的に、手動デバイスおよび自動注射器の２つのカテゴリに分類される。従来の手動デバイスでは、薬剤を針に通すために手の力が必要とされる。これは、一般的に、ある形のボタン／プランジャによって行われ、注射の間、このボタン／プランジャを押し続けなければならない。この手法に関連する多くの欠点がある。例えば、ボタン／プランジャが早く解放されると、注射が止まり、意図した用量が送達されないおそれがある。さらに、ボタン／プランジャを押すのに必要な力が大きすぎるおそれがある（例えば、ユーザが高齢者または小児の場合）。そして、注射デバイスの位置合わせ、注射の投与、および注射の間の注射デバイスの維持には器用さが必要とされ得るが、このような器用さを持たない患者もいる（例えば、高齢患者、小児患者、関節炎の患者等）。
【０００３】
自動注射デバイスは、患者がより容易に自己注射を行えるようにすることを目的とする。従来の自動注射器は、注射を投与するための力をばねによって加えることができ、トリガボタンまたは他の機構を使用して注射を起動することができる。自動注射器は、単回使用デバイスまたは再利用可能デバイスであってよい。
【０００４】
従来の注射デバイスの組立ては、部材が他の部材に対してある方向になければならないため、時間と費用が掛かり得る。例えば、従来の薬剤容器キャリアは、組立てのために薬剤容器がキャリアに対して所定の角度方向にあることを必要とし得る。容器をキャリアに対して方向転換（ｒｅ−ｏｒｉｅｎｔｉｎｇ）するには、時間と費用が必要となり得、組立プロセスが複雑になり費用が高くなる。
【０００５】
したがって、改良された薬剤容器キャリアが依然として必要である。
【発明の概要】
【発明が解決しようとする課題】
【０００６】
本発明の目的は、改良された薬剤容器キャリアを提供することである。
【課題を解決するための手段】
【０００７】
例示的な実施形態において、本発明による薬剤容器キャリアは、第１の直径を有する近位部と、第１の直径よりも小さい第２の直径を有する遠位部と、近位部に配置され、半径方向に突出して第３の直径を形成する梁ヘッドを有する少なくとも１つの弾性梁とを含む。少なくとも１つの梁は、第３の直径が第１の直径よりも小さい非偏向位置と、第３の直径が第１の直径にほぼ等しい偏向位置とを有する。
【０００８】
例示的な実施形態において、梁ヘッドは近位傾斜面を含む。
【０００９】
例示的な実施形態において、梁ヘッドは、キャリアの横軸に平行な遠位面を含む。
【００１０】
例示的な実施形態において、少なくとも１つの梁は、互いに対して所定の角度ずれ（ａｎｇｕｌａｒ  ｏｆｆｓｅｔ）を有する複数の梁を含む。
【００１１】
例示的な実施形態において、薬剤容器キャリアは薬剤容器をさらに含む。薬剤容器はカートリッジおよびシリンジの一方である。薬剤容器は、第２の直径にほぼ等しい第４の直径を有するバレルと、第１の直径にほぼ等しい第５の直径を有するフランジとを含む。梁ヘッドは、梁が非偏向位置にあるときにフランジに当接するように適用される。
【００１２】
以下に述べる詳細な説明から、本発明の適用性のさらなる範囲が明らかになろう。しかしながら、詳細な説明および特定の例は、本発明の好ましい実施形態を示すが、例としてのみ挙げられたものであることを理解されたい。本発明の精神および範囲内における種々の変更および修正が、この詳細な説明から当業者に明らかになるからである。
【００１３】
本発明は、例示の目的のみで挙げられ、したがって本発明を限定するものではない、以下の詳細な説明および添付図面からより完全に理解されるだろう。
【図面の簡単な説明】
【００１４】
【図１】本発明による薬剤容器キャリアの例示的な実施形態の概略縦断面図である。
【図２】本発明による薬剤容器キャリアの例示的な実施形態の斜視詳細図である。
【発明を実施するための形態】
【００１５】
すべての図において、対応する部材を同一の参照符号で示す。
【００１６】
図１は、本発明による薬剤容器キャリア１の例示的な実施形態の概略縦断面図である。例示的な実施形態では、キャリア１がシリンジ３を保持するように適用される。他の例示的な実施形態では、キャリア１がカートリッジ、アンプル、リザーバ、または他の薬剤容器を保持するように適用されてもよい。シリンジ３は、バレル２と、バレル２内に配置され、シリンジ３を遠位に封止し、かつ針１８を通して液体薬剤Ｍを変位させるためのストッパ４とを含む。バレル２の近位部分は、半径方向に突出するフランジ１１を含むことができる。フランジ１１の直径は、バレル２の直径より大きくてもよい。フランジ１１は、バレル２の近位部分の全周または周囲の一部のみから半径方向に延びることができる。
【００１７】
図１に示す例示的な実施形態では、キャリア１が近位部１０および遠位部９を含む。近位部１０は、フランジ１１の直径にほぼ等しい直径を有することができる。遠位部９は、バレル２の直径にほぼ等しい直径を有することができる。
【００１８】
例示的な実施形態において、キャリア１の近位部１０の遠位部分は、梁ヘッド７を有する少なくとも１つの弾性梁５を含み、この梁ヘッド７は、キャリア１の縦軸に向かって半径方向に傾斜する近位傾斜面と、フランジ１１の近位面６およびキャリア１の横軸に平行な遠位面とを有する。梁５は、梁ヘッド７がキャリア１の縦軸に向かって半径方向に突出することにより、キャリア１の近位部１０の有効直径を減少させる非偏向位置を有する。梁５は、梁ヘッド７が半径方向に変位することにより、キャリア１の近位部１０の有効直径を拡大する偏向位置を有する。梁５が非偏向位置にあるときに、梁ヘッド７は、キャリア１の近位部１０の有効直径を、フランジ１１の直径とほぼ等しいかまたはそれよりも小さいが、バレル２の直径とほぼ等しいかまたはそれよりも大きい直径まで減少させる。
【００１９】
キャリア１が複数の梁５を含む例示的な実施形態において、隣接する梁５間の角度ずれが、所定の角度（例えば、約９０°）または異なる角度であってよい。梁５は、シリンジ３およびキャリア１の角度位置に関係なく、シリンジ３がシリンジキャリア１内に拘束されるように、キャリア１上に位置合わせされる。これは、図２に示すように、梁５の少なくとも一つがフランジ１１に当接するからである。
【００２０】
図１に戻ると、キャリア１の例示的な実施形態は、キャリア１の遠位端１５近くに配置された前止め具１４を含むことができ、前止め具１４は、バレル２と首部１７との間でシリンジ３の遠位肩部１６に当接して、キャリア１内でのシリンジ３の遠位方向Ｄへの軸方向運動を制限する。フランジ１１ではなく遠位端でシリンジ３を支持することにより、ストッパ４が薬剤Ｍをバレル２から変位させるための負荷を受けたときに、フランジ１１に対する損傷を防止することができる。
【００２１】
組立て中、シリンジ３はキャリア１の近位部１０に挿入される。シリンジ３がキャリア１に対して遠位方向に並進運動するときに、梁５は非偏向位置にあり、バレル２が近位部１０を通って摺動する。フランジ１１が梁ヘッド７に当接すると、遠位向きの力がシリンジ３に加えられ、梁５が偏向位置に動いてフランジ１１を通過させる。梁ヘッド７の近位傾斜面により、梁５を偏向させるのに必要な力が減少する。フランジ１１が梁ヘッド７を通過した後、梁５は非偏向位置に戻る。梁ヘッド７の遠位面は、当接面として作用して、キャリア１に対するシリンジ３の近位方向への並進運動を防止することができる。例えば、薬剤Ｍの送達中および使用後に、ストッパ４に加えられてシリンジ３をキャリア１の前止め具１４に対して前方に押す圧力によって、シリンジ３が位置される。キャリア１の梁５は、ストッパ４に圧力を加えることなくキャリア１を前進させることによりシリンジ３が前進され、針１８が注射部位に挿入されるときに、いわゆるウェット注射、すなわち針挿入中に薬剤が針から漏出することを防止する。
【００２２】
さらに、キャリア１の梁５により、注射前の再キャッピング、すなわち、ニードルブーツおよび／またはデバイスキャップの再取付け中のシリンジ３の動きがユーザにより確実に知覚されなくなる。
【００２３】
梁５が適合しているため、針挿入中のフランジ１１に対する損傷の可能性が低下する。
【００２４】
記載された部材が円形または円筒形であることを示唆する「周囲」および「直径」等の用語を使用して例示的な実施形態を説明したが、部材は適切な大きさまたは形状であってよく、横断面積および幾何形状が変化してもよいことを当業者は理解するだろう。
【００２５】
本発明の全範囲および精神から逸脱することなく、本明細書に記載の装置、方法および／またはシステム、および実施形態の種々の部材の修正（追加および／または除去）を行うことができ、本発明の全範囲および精神にこのような修正およびすべての等価物が包含されることを当業者は理解するだろう。
【図１】
0006360834.tif 000002
【図２】
0006360834.tif 000003